(57)【要約】      （修正有）【課題】紙載置台のカッターを挟んだ反対側にガイドを備えることで、裁断された用紙の大きさのバラツキの解消を図った裁断器を提供する。【解決手段】紙載置台のカッターを挟んだ反対側に側にスライド式位置可変機能用ガイドを配し、アセンブリのレバー６を緩め、主軸５上のスケールを見ながらベース４を引出し、任意の位置でレバー６を締めて、主軸５をロックすることで裁断される用紙の位置が確定することによって、ガイドとなるもののガタ或いはズレの発生を抑えることができる。【選択図】図１
0003168455.tif 000002
【実用新案登録請求の範囲】
【請求項１】
裁断機（ディスクカッター、ペーパーカッター）の紙載置台のカッターを挟んだ反対側に紙の切出し量を制限するガイド（１）を有する裁断機。
【請求項２】
制限するガイド（１）側に紙を載せる可動式アーム（２）（３）を有しる制限機。
【請求項３】
ロック時のガイド（１）の傾き発生防止機能を有する裁断機。
【請求項４】
ガイド（１）の主軸（５）に距離確認用スケールを配した裁断機。
【考案の詳細な説明】
【技術分野】
【０００１】  本考案は、用紙の裁断長をガイドする機能を配した裁断機に関する。
【背景技術】
【０００２】  従来、市販されている裁断機（ディスクカッター、ペーパーカッター）は、用紙の切断位置を裁断機の紙載置台面に印刷されている寸法或いは指定したガイド位置に用紙端面或いは用紙裁断位置を記した印に合わせて切断することによって、必要な用紙の大きさを得るものである。【０００３】  一般に、紙載置台面上の印やガイドは、用紙切断位置の目安となり用紙の縦横を順次切断すると共に切断する度に用紙に目印を付ける手間を省いた便利なものである。
【考案の開示】
【考案が解決しようとする課題】
【０００４】  しかし、従来の紙載置台面上に印がある場合、印に用紙端面を目測で合わせて裁断していくため、裁断された用紙の大きさにバラツキが生じてしまっていた。【０００５】  また、制限ガイドのマグネットタイプは、何度も制限ガイドに用紙を押当てると制限ガイドの位置がずれる。片支持タイプは、先端側で用紙を押し当てたとき撓りが発生する。
これらの要因によって裁断された用紙の大きさが異なっていたことが問題である。【０００６】  また、一定の大きさの用紙を大量に裁断するとき、裁断するごとに目測での位置合わせを行うため、その煩わしい工程が問題である。
【課題を解決するための手段】
【０００７】  裁断機の紙載置台のカッターを挟んだ反対側にガイドを備えた裁断機を考案した（図１）。  このガイドには、スライド式位置可変機能、位置固定のロック機能を有しているため、目測での位置合わせ及び制限ガイドの位置ずれによる裁断した用紙の大きさが異なることがない。
また、このガイドにスライドした距離を示すスケールが主軸上に設けられているため、裁断ごとの大きさの合わせが不要となる。
また、このガイドには紙を載せる可動式アームを設けているため、紙の垂れによる裁断時の問題も緩和することになる。
また、このガイドにはロック時の制限の傾き発生防止機能を設けているため、切断された用紙の水平が保たれる。
また、一定の大きさの用紙を大量に裁断するとき、作業性が簡単になる。
【考案の効果】
【０００８】  よって、本考案の裁断機により裁断された用紙のバラツキが生じなくなった。  また、従来の裁断機の紙載置台上にある個々の機能も使い易い面もあり、スライド式位置可変機能を有したガイドを備えても使い易い面を残すことが出来た。
【考案を実施するための最良の形態】
【０００９】  本考案に係るガイド付裁断機は、図１に示すように紙載置台のカッターを挟んだ反対側にスライド式位置可変機能を有したガイドを配している。  ガイドは、スライドする強磁性体を有する主軸５にベース４を取付け、ベース４の両端の軸に左・右アーム２，３の穴を挿入する。  アームはその軸を回転軸として回転する。  この左・右アーム２，３の穴に制限１の軸を挿入して取り付ける。
裁断機の底部にガイドのロック機能（図３，４，５）を配している。  ホルダー８を裁断機の底部に取付け、ホルダー８の溝に主軸５を通し、その先端にストッパー７を配する。
ホルダー８の側面にマグネット９が配され、主軸５がホルダー８の溝側面に保持される。
レバー６に押しピン１０を配して、それをホルダー８の上面の穴に取り付けることにより、ガイドはレバー６を緩め、主軸５上のスケールを見ながらベースを引出し、任意の位置でレバー６を締めて主軸５をロックすることで、裁断される用紙の位置が確定したものとなる。
【図面の簡単な説明】
【００１０】
【図１】  本考案に係るガイド付裁断機の上面図である。
【図２】  ガイド付裁断機の正面図である。
【図３】  ガイド付裁断機の側面図である。
【図４】  ガイド付裁断機の底面図のロック機能部拡大図である。
【図５】  ガイド付裁断機の底面図のロック機能部拡大図である。
【符号の説明】
【００１１】  １      制限
２      左アーム
３      右アーム
４      ベース
５      主軸
６      レバー
７      ストッパー
８      ホルダー
９      マグネット
１０      押しピン
【図１】
0003168455.tif 000003
【図２】
0003168455.tif 000004
【図３】
0003168455.tif 000005
【図４】
0003168455.tif 000006
【図５】
0003168455.tif 000007
【手続補正書】
【提出日】平成23年3月12日(2011.3.12)
【手続補正１】
【補正対象書類名】実用新案登録請求の範囲
【補正対象項目名】全文
【補正方法】変更
【補正の内容】
【実用新案登録請求の範囲】
【請求項１】
ペーパーカッター裁断機或いはディスクカッター裁断機の紙載置台のカッターを挟んだ反対側に紙の切出し量を制限するガイド（１）を有する裁断機。
【請求項２】
制限するガイド（１）側に紙を載せる可動式アーム（２）（３）を有する請求項１記載の裁断機。
【請求項３】
ガイド（１）の主軸（５）に距離確認用スケールを配した請求項１記載の裁断機。
【手続補正２】
【補正対象書類名】明細書
【補正対象項目名】全文
【補正方法】変更
【補正の内容】
【考案の詳細な説明】
【技術分野】
【０００１】  本考案は、用紙の裁断長をガイドする機能を配した裁断機に関する。
【背景技術】
【０００２】  従来、市販されているペーパーカッター裁断機及びディスクカッター裁断機は、用紙の切断位置を裁断機の紙載置台面に印刷されている寸法或いは指定したガイド位置に用紙端面或いは用紙裁断位置を記した印に合わせて切断することによって、必要な用紙の大きさを得るものである。【０００３】  一般に、紙載置台面上の印やガイドは、用紙切断位置の目安となり用紙の縦横を順次切断すると共に切断する度に用紙に目印を付ける手間を省いた便利なものである。
【考案の開示】
【考案が解決しようとする課題】
【０００４】  しかし、従来の紙載置台面上に印がある場合、印に用紙端面を目測で合わせて裁断していくため、裁断された用紙の大きさにバラツキが生じてしまっていた。【０００５】  また、制限ガイドのマグネットタイプは、何度も制限ガイドに用紙を押当てると制限ガイドの位置がずれる。  あるいは、片支持タイプの制限ガイドは、先端側で用紙を押し当てたとき撓りが発生する。これらの要因によって裁断された用紙の大きさが異なっていたことが問題である。【０００６】  また、一定の大きさの用紙を大量に裁断するとき、裁断するごとに目測での位置合わせを行うため、その煩わしい工程が問題である。
【課題を解決するための手段】
【０００７】  ペーパーカッター裁断機或いはディスクカッター裁断機の紙載置台のカッターを挟んだ反対側にガイドを備えた裁断機を考案した（図１）。  このガイドには、スライド式位置可変機能、位置固定のロック機能を有しているため、目測での位置合わせ及び制限ガイドの位置ずれによる裁断した用紙の大きさが異なることがない。
また、このガイドにスライドした距離を示すスケールが主軸上に設けられているため、裁断ごとの大きさの合わせが不要となる。
また、このガイドには紙を載せる可動式アームを設けているため、紙の垂れによる裁断時の問題も緩和することになる。
また、このガイドにはロック時の制限の傾き発生防止機能を設けているため、切断された用紙の水平が保たれる。
また、一定の大きさの用紙を大量に裁断するとき、作業性が簡単になる。
【考案の効果】
【０００８】  よって、本考案の裁断機により裁断された用紙のバラツキが生じなくなった。  また、従来の裁断機の紙載置台上にある個々の機能も使い易い面もあり、スライド式位置可変機能を有したガイドを備えても使い易い面を残すことが出来た。
【考案を実施するための最良の形態】
【０００９】  本考案に係るガイド付裁断機は、図１に示すように紙載置台１１のカッター１５を挟んだ反対側にスライド式ガイドを配している。  ガイドは、強磁性体を有する主軸５にベース４を取付け、ベース４の両端の軸に左・右アーム２，３の穴を挿入する。  アームはその軸を回転軸として回転する。この左・右アーム２，３の穴に制限１の軸を挿入して取り付ける。  裁断機の底部にガイドのロック機能（図３，４）を配している。  ホルダー８を裁断機の底部に取付け、ホルダー８の溝に主軸５を通し、その先端にストッパー７を配する。  ホルダー８の側面にマグネット９が配され、主軸５がホルダー８の溝側面に保持される。  レバー６に押しピン１０を配して、それをホルダー８の上面の穴に取り付けることにより、ガイドはレバー６を緩め、主軸５上のスケールを見ながらベースを引出し、任意の位置でレバー６を締めて主軸５をロックすることで、裁断される用紙の位置が確定したものとなる。
【図面の簡単な説明】
【００１０】
【図１】  本考案に係るガイド付裁断機の上面図である。
【図２】  ガイド付裁断機の正面図である。
【図３】  ガイド付裁断機の側面図である。
【図４】  ガイド付裁断機の底面図のロック機能部拡大図である。
【符号の説明】
【００１１】  １      制限
２      左アーム
３      右アーム
４      ベース
５      主軸
６      レバー
７      ストッパー
８      ホルダー
９      マグネット
１０      押しピン
１１      紙載置台
１２      ハンドル
１３      レール
１４      紙押え
１５      カッター
【手続補正３】
【補正対象書類名】図面
【補正対象項目名】全図
【補正方法】変更
【補正の内容】
【図１】
0003168455.tif 000008
【図２】
0003168455.tif 000009
【図３】
0003168455.tif 000010
【図４】
0003168455.tif 000011